(57)【要約】【課題】  交換レンズに対するマウントアダプタの着脱操作、特に、離脱操作を容易に行えるようにして着脱時の操作性及び利便性を高めるとともに、リアキャップの多機能性及び多様性、更には付加価値性を高める。【解決手段】  着脱部３を有するキャップ本体部２の一方の面２ｆに対する反対側の面２ｒに、マウントアダプタＡに係止して当該マウントアダプタＡを回し操作可能な一又は二以上の係合形状部を有する第一係合部４と、当該第一係合部４がマウントアダプタＡに係合した際に、交換レンズＬに対する装着位置ＸｓをロックするマウントアダプタＡに備えるロック機構１０に対する操作により当該ロックを解除する第二係合部５とを有するアダプタ操作部６を設ける。【選択図】  図１
2020134737.tif 000002
【特許請求の範囲】
【請求項１】
光学機器本体に装着する交換レンズに取付けたマウントアダプタに着脱する着脱部を有するマウントアダプタ用リアキャップにおいて、前記着脱部を有するキャップ本体部の一方の面に対する反対側の面に、前記マウントアダプタに係止して当該マウントアダプタを回し操作可能な一又は二以上の係合形状部を有する第一係合部と、当該第一係合部が前記マウントアダプタに係合した際に、前記交換レンズに対する装着位置をロックする前記マウントアダプタに備えるロック機構に対する操作により当該ロックを解除する第二係合部とを有するアダプタ操作部を設けてなることを特徴とするマウントアダプタ用リアキャップ。
【請求項２】
前記第一係合部は、前記キャップ本体部における前記反対側の面に一体に形成し、かつマウントアダプタにおけるフランジ爪の相互間の空間に進入して当該フランジ爪の端部に当接可能な係合凸部により形成した前記係合形状部を備えることを特徴とする請求項１記載のマウントアダプタ用リアキャップ。
【請求項３】
前記第二係合部は、前記キャップ本体部における前記反対側の面に一体に形成し、かつ前記ロック機構におけるロックレバーを押し操作してロックを解除する係合凸部を備えることを特徴とする請求項１記載のマウントアダプタ用リアキャップ。
【請求項４】
前記アダプタ操作部は、前記キャップ本体部における前記反対側の面の外周に沿って形成し、かつ内方に前記第一係合部及び前記第二係合部を配するリング堤部を備えることを特徴とする請求項１，２又は３記載のマウントアダプタ用リアキャップ。
【請求項５】
前記アダプタ操作部は、マウントアダプタに対して位置合わせを行う目印部を有することを特徴とする請求項１記載のマウントアダプタ用リアキャップ。
【請求項６】
前記着脱部は、円筒状に形成し、かつ外周面に、回し操作時の滑りを防止する滑り止め部を設けてなることを特徴とする請求項１記載のマウントアダプタ用リアキャップ。
【発明の詳細な説明】
【技術分野】
【０００１】
本発明は、カメラボディ等の光学機器本体に装着する交換レンズに取付けたマウントアダプタに着脱する着脱部を有するマウントアダプタ用リアキャップに関する。
【背景技術】
【０００２】
一般に、交換レンズをカメラボディ（光学機器本体）に装着する際に、カメラボディのレンズマウントと交換レンズのマウント部が製造メーカーの相違等により装着できない場合、マウントアダプタを介在させて装着するとともに、通常、このマウントアダプタは、交換レンズのマウント部に取付けている。したがって、マウントアダプタは、交換レンズのマウント部に対して着脱式に構成されるとともに、装着位置を固定するため、レンズマウントに対して比較的強いバネ材を圧接させるガタ防止機構及び装着位置をロックするロック機構を備えている。この結果、マウントアダプタの着脱時、特に、離脱時にはロック機構のロックを解除しつつマウントアダプタを比較的強い力で回し操作する必要があり、着脱操作を容易に行えない難点があった。このため、レンズキャップを操作治具としても利用できる、より付加価値を高めたレンズキャップも提案されている。
【０００３】
従来、このようなレンズキャップとしては、特許文献１に開示されるプロジェクタに附属するレンズキャップが知られている。このプロジェクタ（レンズキャップ）は、筺体の上面に配備したズーム調節用及びフォーカス調節用の２つの操作つまみを、手で掴みやすい形状のレンズキャップを用いて楽に円滑に回転操作可能にすることを目的としたものであり、具体的には、レンズ鏡筒に着脱可能なレンズキャップと、筺体の上面に配備した操作つまみとを有し、操作つまみを、ズーム調節用の第１操作つまみとフォーカス調節用の第２操作つまみとに分け、それらの操作つまみをレンズキャップで回転操作可能とするとともに、レンズキャップに２つの第１凸部と３つの第２凸部とを設けるのに対し、第１操作つまみに２つの第１凹部を設け、かつ第２操作つまみに３つの第２凹部を設け、これにより、第１凸部を第１凹部に嵌合させてレンズキャップを回転すると、第１操作つまみが回転し、第２凸部を第２凹部に嵌合させてレンズキャップを回転すると、第２操作つまみが回転するようにしたものである。
【先行技術文献】
【特許文献】
【０００４】
【特許文献１】特開２００６−３０１２２７号公報
【発明の概要】
【発明が解決しようとする課題】
【０００５】
しかし、上述した従来のレンズキャップは次のような問題点があった。
【０００６】
第一に、単に、回し操作するためのハンドル機能を付加したに留まるため、前述したようなロック機構を備えるマウントアダプタ等が操作対象の場合、回し操作は容易であるとしても、ロック機構の解除は自らの手で別途操作を行わなければならないなど、十分な利便性及び操作性を確保できない。結局、レンズキャップの多機能性及び多様性、更には付加価値性を高める観点からは更なる改善の余地があった。
【０００７】
第二に、レンズキャップから突出する山形に形成した二つの凸部を、操作対象側の凹部に対して単に係合させる方式のため、操作時には、ハンドルとして機能させるレンズキャップがふらついたり外れ易いなど、必ずしも安定した操作を行えるとは言い難い。結局、操作時の安定感及び使用感に劣るとともに、繰返し操作により減耗が生じやすいなど耐久性にも難点がある。
【０００８】
本発明は、このような背景技術に存在する課題を解決したマウントアダプタ用リアキャップの提供を目的とするものである。
【課題を解決するための手段】
【０００９】
本発明は、上述した課題を解決するため、光学機器本体に装着する交換レンズＬに取付けたマウントアダプタＡに着脱する着脱部３を有するマウントアダプタ用リアキャップ１を構成するに際して、着脱部３を有するキャップ本体部２の一方の面２ｆに対する反対側の面２ｒに、マウントアダプタＡに係止して当該マウントアダプタＡを回し操作可能な一又は二以上の係合形状部を有する第一係合部４と、当該第一係合部４がマウントアダプタＡに係合した際に、交換レンズＬに対する装着位置ＸｓをロックするマウントアダプタＡに備えるロック機構１０に対する操作により当該ロックを解除する第二係合部５とを有するアダプタ操作部６を設けてなることを特徴とする。
【００１０】
この場合、発明の好適な態様により、第一係合部４は、キャップ本体部２における反対側の面２ｒに一体に形成し、かつマウントアダプタＡにおけるフランジ爪１１ｎ…の相互間の空間に進入して当該フランジ爪１１ｎ…の端部１１ｎｔ，１１ｎｓ…に当接可能な係合凸部４ｓ，４ｓ…により形成した係合形状部を設けて構成できるとともに、第二係合部５は、キャップ本体部２における反対側の面２ｒに一体に形成し、かつロック機構１０におけるロックレバー１２を押し操作してロックを解除する係合凸部５ｓにより構成できる。また、アダプタ操作部６には、キャップ本体部２における反対側の面２ｒの外周に沿って形成し、かつ内方に第一係合部４及び第二係合部５を配するリング堤部７を設けることができる。なお、アダプタ操作部６には、マウントアダプタＡに対して位置合わせを行う目印部８を設けることが望ましい。一方、着脱部３は、円筒状に形成し、かつ外周面３ｆには、回し操作時の滑りを防止する滑り止め部３ｍを設けることができる。
【発明の効果】
【００１１】
このような構成を有する本発明に係るマウントアダプタ用リアキャップ１によれば、次のような顕著な効果を奏する。
【００１２】
（１）  リアキャップ１をマウントアダプタＡに装着するのみで、マウントアダプタＡにおけるロック解除操作と回し操作の双方を一緒に行うことができる。したがって、交換レンズＬに対するマウントアダプタＡの着脱操作、特に、離脱操作を容易に行うことができ、着脱時の操作性及び利便性を飛躍的に高めることができるなど、リアキャップ１の多機能性及び多様性、更には付加価値性を高めることができる。
【００１３】
（２）  好適な態様により、第一係合部４を、キャップ本体部２における反対側の面２ｒに一体に形成し、かつマウントアダプタＡにおけるフランジ爪１１ｎ…の相互間の空間に進入して当該フランジ爪１１ｎ…の端部１１ｎｔ，１１ｎｓ…に当接可能な係合凸部４ｓ，４ｓ…により形成した係合形状部を設けて構成すれば、通常、マウントアダプタＡの周方向に沿って設けた複数のフランジ爪１１ｎ…の端部１１ｎｓ，１１ｎｔ…に対して係合凸部４ｓ，４ｓ…が当接し、マウントアダプタＡに対してリアキャップ１がいわば多点による嵌合状態になるため、操作時におけるリアキャップ１のふらつきや外れが無くなる。これにより、安定した回し操作を行うことが可能になり、操作時の安定感及び使用感に優れるとともに、繰返し操作によっても減耗が生じにくくなり、耐久性及び商品性を高めることができる。しかも、突起形状により一体形成できるため、金型形状の変更等により、リアキャップ１の製造時（成形時）に一緒に成形可能になるなど、実施の容易化及び低コスト化を図ることができる。
【００１４】
（３）  好適な態様により、第二係合部５を、キャップ本体部２における反対側の面２ｒに一体に形成し、かつロック機構１０におけるロックレバー１２を押し操作してロックを解除する係合凸部５ｓにより構成すれば、第一係合部４と同様の突起形状により一体形成できるため、リアキャップ１の製造時（成形時）に一緒に成形することができ、更なる実施の容易化及び低コスト化に寄与できる。
【００１５】
（４）  好適な態様により、アダプタ操作部６に、キャップ本体部２における反対側の面２ｒの外周に沿って形成し、かつ内方に第一係合部４及び第二係合部５を配するリング堤部７を設ければ、アダプタ操作部６における第一係合部４と第二係合部５をリング堤部７の内方に位置させることができるため、リング堤部７により第一係合部４と第二係合部５を外的に保護できる。また、マウントアダプタＡにリアキャップ１を装着する際のガイド機能を持たせることができるとともに、第一係合部４及び第二係合部５を視覚的に隠すことができるため、外観性（形状性）の向上にも寄与できる。
【００１６】
（５）  好適な態様により、アダプタ操作部６に、マウントアダプタＡに対して位置合わせを行う目印部８を設ければ、マウントアダプタＡにリアキャップ１を装着する際の位置合わせに利用可能になるため、リアキャップ１をマウントアダプタＡに装着する際の容易性及び円滑性を高めることができる。
【００１７】
（６）  好適な態様により、着脱部３を、円筒状に形成し、かつ外周面３ｆに、回し操作時の滑りを防止する滑り止め部３ｍを設ければ、リアキャップ１を回し操作する際の手の滑りを防止できるため、マウントアダプタＡを着脱する際における操作の容易性及び安定性をより高めることができる。
【図面の簡単な説明】
【００１８】
【図１】本発明の好適実施形態に係るリアキャップの断面側面図及びマウントアダプタの外観側面図、
【図２】同リアキャップの正面図、
【図３】同リアキャップを利用できるマウントアダプタ及びこのマウントアダプタを使用する交換レンズの関係を示す外観側面図、
【図４】同リアキャップ及びマウントアダプタを取付けた交換レンズの関係を示す外観側面図、
【図５】同リアキャップを、交換レンズに取付けたマウントアダプタに装着した状態の外観側面図、
【図６】同リアキャップのマウント操作部を、交換レンズに取付けたマウントアダプタに装着した状態の外観側面図、
【図７】同リアキャップを利用できるマウントアダプタの背面図、
【図８】同リアキャップのマウント操作部を、交換レンズに取付けたマウントアダプタに装着した状態の断面背面図（図６中Ｄ１−Ｄ１線）、
【図９】同リアキャップを利用できるマウントアダプタを交換レンズに装着し、かつロック機構によるロック前の状態を示す外観斜視図、
【図１０】同リアキャップを利用できるマウントアダプタを交換レンズに装着し、かつロック機構によるロック後の状態を示す外観斜視図、
【図１１】同リアキャップの第一変更例を示す一部断面側面図、
【図１２】同リアキャップの第二変更例を示す一部断面側面図、
【発明を実施するための形態】
【００１９】
次に、本発明に係る好適実施形態を挙げ、図面に基づき詳細に説明する。
【００２０】
まず、本実施形態に係るリアキャップ１の理解を容易にするため、このリアキャップ１を利用できるマウントアダプタＡについて、図３〜図５及び図９（図１０）を参照して説明する。
【００２１】
図３における符号Ｌは、デジタルカメラ（カメラボディ）に装着して使用する交換レンズの一例を示す。図３に示す交換レンズＬの左側がフロント側（被写体側）、右側がリア側（結像側）となり、例示する交換レンズＬの後端部にはバヨネット式のマウント部Ｌｍが設けられている。一方、この交換レンズＬをカメラボディに装着する場合、このカメラボディのレンズマウントと交換レンズＬのマウント部Ｌｍが同一規格（同一仕様）であれば直接装着することができるが、当該カメラボディが他メーカーの製品であるなど、規格（仕様）が異なるときはマウントアダプタが必要になる。
【００２２】
図３に示す符号Ａは、この交換レンズＬに使用する全体をリング状に構成したマウントアダプタを示す。このマウントアダプタＡは、図４に示すように、交換レンズＬのマウント部Ｌｍに取付けて使用する。これにより、この交換レンズＬは、このマウントアダプタＡを介してカメラボディにおけるレンズマウントに装着することができる。
【００２３】
したがって、このマウントアダプタＡのフロント側には、交換レンズＬのマウント部Ｌｍに取付ける第一マウント部Ａｆを備え、他方、マウントアダプタＡのリア側には、カメラボディのレンズマウントに装着する第二マウント部Ａｒを備えている。例示する第一マウント部Ａｆ及び第二マウント部Ａｒの方式は、共に規格（仕様）の異なるバヨネット式である。また、マウントアダプタＡの外周部には、手で持つことによりマウントアダプタＡの着脱操作を行うための鍔状の把持部Ａｈを備える。この場合、把持部Ａｈの外周面には、手で回し操作する際における滑りを防止する周方向に沿った凹凸の繰り返し形状による滑り止め部が形成されている。
【００２４】
そして、通常、交換レンズＬを使用しないときは、リアキャップを用意し、このリアキャップを交換レンズＬの後端、即ち、マウントアダプタＡの第二マウント部Ａｒに装着し、交換レンズＬの後端開口を閉塞して後端側を保護するとともに、交換レンズＬの前端開口には、図５に示すフロントレンズキャップＣｆを装着し、前端開口を閉塞して前端側を保護している。図５は、交換レンズＬの前端開口にフロントレンズキャップＣｆを装着し、マウントアダプタＡの後端開口（第二マウント部Ａｒ）に本実施形態に係るリアキャップ１を装着した状態を示している。
【００２５】
ところで、マウントアダプタＡは、交換レンズＬに対して着脱式に構成されるとともに、装着時には、交換レンズＬに対してガタツキ等が生じることなく一体化されることが望ましい。このため、マウントアダプタＡには、装着位置を固定するため、マウント部Ｌｍに対して比較的強いバネ材を圧接させるガタ防止機構（図示を省略）を備えるとともに、装着位置をロックするロック機構１０を備えている。
【００２６】
例示するロック機構１０は、図９及び図１０に示すように、ロックレバー１２を備え、このロックレバー１２の中間位置を軸ネジ部１３によりマウントアダプタＡの内周面に対して回動可能に支持する。そして、ロックレバー１２の一端側にロック解除操作部１２ｐを折曲形成し、かつロックレバー１２の他端側にロック爪部１２ｓを折曲形成するとともに、バネ部１４によりロックレバー１２の一端側をロック側に付勢、即ち、ロック解除操作部１２ｐを、図９及び図１０において上方へ付勢している。
【００２７】
これにより、マウントアダプタＡの第一マウント部Ａｆに対して、交換レンズＬのマウント部Ｌｍを挿入すれば、図９に示すように、交換レンズＬにおけるマウント部Ｌｍの爪部Ｌｍｎがロック爪部１２ｓに当接してロック爪部１２ｓを押すため、ロックレバー１２は、バネ部１４の付勢力に抗し、軸ネジ部１３を支点に回動変位する。次いで、マウントアダプタＡを、挿入位置から、図中、右方向（時計方向）へ回し操作すれば、第一マウント部Ａｆの複数（例示は三つ）の爪部Ａｆｎ…が交換レンズＬにおけるマウント部Ｌｍの三つの爪部Ｌｍｎ…に係止して光軸方向の変位が規制（固定）されるとともに、最終位置（装着位置Ｘｓ）まで回し操作すれば、図１０に示すように、マウントアダプタＡにおける第一マウント部Ａｆの内周面に設けたストッパ部Ａｐが、交換レンズＬにおけるマウント部Ｌｍの爪部Ｌｍｎの一端に当接して周方向一方側の変位が規制され、かつこの装着位置Ｘｓでは、ロックレバー１２のロック爪部１２ｓが、マウント部Ｌｍの爪部Ｌｍｎから外れるため、バネ部１４の付勢力によりロックレバー１２が回動変位して元の位置に復帰する。この結果、ロック爪部１２ｓが当該爪部Ｌｍｎの端部に係止して周方向他方側の変位が規制される。これにより、交換レンズＬに対するマウントアダプタＡの装着位置Ｘｓがロック（固定）される。
【００２８】
したがって、マウントアダプタＡを交換レンズＬから取外す際には、図１０に示すロックレバー１２のロック解除操作部１２ｐをバネ部１４の付勢力に抗して指により押し操作し、ロックレバー１２を回動変位させ、ロック爪部１２ｓによる交換レンズＬのマウント部Ｌｍの爪部Ｌｍｎに対する係止（ロック）を解除するとともに、この状態でマウントアダプタＡを、装着時とは逆方向（反時計方向）へ回動変位させれば、交換レンズＬからマウントアダプタＡを取外すことができる。
【００２９】
しかし、このような離脱時の操作は、ロック解除操作と回し操作の二つの操作を必要とするとともに、前述したように、回し操作には、比較的強い力による操作力を必要とし、着脱操作を容易に行えない難点がある。そこで、本発明は、交換レンズＬに対するマウントアダプタＡの着脱操作、特に、離脱操作に利用できる操作治具の機能をリアキャップ１に持たせたものである。
【００３０】
次に、本実施形態に係るリアキャップ１の構成について、図１〜図１０を参照して具体的に説明する。
【００３１】
リアキャップ１は、図１及び図２に示すように、着脱部３を設けたキャップ本体部２を有する基本形態を備える。キャップ本体部２は、一方の面２ｆ（内部側：フロント側）と反対側の面２ｒ（外部側：リア側）を有する円盤状に形成し、一方の面２ｆの外周部に筒状（リング状）の着脱部３を一体に形成する。
【００３２】
着脱部３は、同軸上に配した内側筒部３ｉと外側筒部３ｏからなり、内側筒部３ｉの内面には、マウントアダプタＡの第二マウント部Ａｒに備える複数（例示は四つ）のフランジ爪１１ｎ…に係止可能な四つの爪部２１…を一体形成する。したがって、この爪部２１…は、第二マウント部Ａｒを装着するカメラボディ側のレンズマウントに備える爪部と同じ位置関係及び形状により設ける。
【００３３】
また、外側筒部３ｏは、前述した把持部Ａｈの外径と同じ位置に設けることにより、把持部Ａｈに対して連続する外郭形状を備える。さらに、着脱部３の外周面３ｆ、即ち、外側筒部３ｏの外周面３ｆには、回し操作時の滑りを防止する滑り止め部３ｍを設ける。例示の場合、図４に示すように、周方向に沿った凹凸の繰り返し形状により形成した。このような滑り止め部３ｍを設ければ、リアキャップ１を回し操作する際の手の滑りを防止できるため、マウントアダプタＡを着脱する際における操作の容易性及び安定性をより高めることができる利点がある。なお、２２…は、外側筒部３ｏと内側筒部３ｉ間に設けた複数（例示は八つ）のリブ部を示す。
【００３４】
一方、キャップ本体部２における一方の面２ｆに対する反対側の面２ｒには、本発明の要部を構成するアダプタ操作部６を一体形成する。
【００３５】
このアダプタ操作部６は、マウントアダプタＡの第二マウント部Ａｒに係合して当該マウントアダプタＡを回し操作可能な一又は二以上（例示は八つ）の係合形状部を有する第一係合部４を備える。例示する第一係合部４は、キャップ本体部２における反対側の面２ｒに一体形成し、かつ図８に示すように、マウントアダプタＡにおけるフランジ爪１１ｎ…の相互間の空間に進入して当該フランジ爪１１ｎ…の端部１１ｎｔ，１１ｎｓ…に当接可能な係合凸部４ｓ，４ｓ…により形成した係合形状部を設けて構成した。
【００３６】
第一係合部４をこのような係合凸部４ｓ，４ｓ…により構成すれば、通常、マウントアダプタＡの周方向に沿って設けた複数のフランジ爪１１ｎ…の端部１１ｎｓ，１１ｎｔ…に対して係合凸部４ｓ，４ｓ…が当接し、マウントアダプタＡに対してリアキャップ１がいわば多点による嵌合状態になるため、操作時におけるリアキャップ１のふらつきや外れが無くなる。これにより、安定した回し操作を行うことが可能になり、操作時の安定感及び使用感に優れるとともに、繰返し操作によっても減耗が生じにくくなり、耐久性及び商品性を高めることができる。しかも、突起形状により一体形成できるため、金型形状の変更等により、リアキャップ１の製造時（成形時）に一緒に成形可能になるなど、実施の容易化及び低コスト化を図れる利点がある。
【００３７】
また、第一係合部４がマウントアダプタＡに係合した際に、前述したロック機構１０に対する操作により当該ロックを解除する第二係合部５を備える。例示する第二係合部５は、キャップ本体部２における反対側の面２ｒに一体形成し、かつロック機構１０におけるロックレバー１２のロック解除操作部１２ｐを押し操作してロックを解除する係合凸部５ｓにより構成した。特に、例示の場合、第一係合部４を構成する一つの係合凸部４ｓを兼用できる係合凸部５ｓとして形成した。このため、係合凸部５ｓは、周方向の位置を選定することにより係合凸部４ｓとしての機能を持たせるとともに、径方向及び光軸方向の長さと形状を選定することにより係合凸部５ｓとしての機能を持たせている。
【００３８】
第二係合部５をこのような係合凸部５ｓにより構成すれば、第一係合部４と同様の突起形状により一体形成できるため、リアキャップ１の製造時（成形時）に一緒に成形することができ、更なる実施の容易化及び低コスト化に寄与できる利点がある。
【００３９】
さらに、キャップ本体部２における反対側の面２ｒの外周に、この外周に沿って一体形成し、かつ内方に第一係合部４及び第二係合部５を配するリング堤部７を設ける。したがって、第一係合部４を構成する各係合凸部４ｓ，４ｓ…及び第二係合部５を構成する係合凸部５ｓは、キャップ本体２における反対側の面２ｒから光軸方向へ突出するとともに、リング堤部７の内周面から径方向（中心方向）へ突出する。このようなリング堤部７を設ければ、アダプタ操作部６における第一係合部４と第二係合部５をリング堤部７の内方に位置させることができるため、リング堤部７により第一係合部４と第二係合部５を外的に保護できる。また、マウントアダプタＡにリアキャップ１を装着する際のガイド機能を持たせることができるとともに、第一係合部４及び第二係合部５を視覚的に隠すことができるため、外観性（形状性）の向上にも寄与できる利点がある。
【００４０】
図中、符号８は、マウントアダプタＡに対して位置合わせを行う目印部であり、図２に示すように、リング堤部７の外周面に凸部により一体形成した。アダプタ操作部６に、マウントアダプタＡに対して位置合わせを行う目印部８を設ければ、マウントアダプタＡにリアキャップ１を装着する際の位置合わせに利用可能になるため、リアキャップ１をマウントアダプタＡに装着する際の容易性及び円滑性を高めることができる利点がある。その他、図２に示す「ＯＰＥＮ」の文字と矢印マークを含む表示部２５は、キャップ本体部２における反対側の面２ｒに表示し、マウントアダプタＡを交換レンズＬから取外す際の回し操作の方向を示している。
【００４１】
このように構成するアダプタ操作部６は、リアキャップ１をプラスチック素材により一体成形する際に、リアキャップ１の成形と一緒に一体成形できるため、金型の変更等により容易に実施することができる。また、アダプタ操作部６は、リアキャップ１に一体に備えるため、紛失などの不具合を招く虞れがなく、利便性及び実用性に優れた付加価値の高いリアキャップ１として提供できる。
【００４２】
よって、このような本実施形態に係るリアキャップ１によれば、基本的構成として、着脱部３を有するキャップ本体部２の一方の面２ｆに対する反対側の面２ｒに、マウントアダプタＡに係止して当該マウントアダプタＡを回し操作可能な一又は二以上の係合形状部を有する第一係合部４と、当該第一係合部４がマウントアダプタＡに係合した際に、交換レンズＬに対する装着位置ＸｓをロックするマウントアダプタＡに備えるロック機構１０に対する操作により当該ロックを解除する第二係合部５とを有するアダプタ操作部６を設けてなるため、リアキャップ１をマウントアダプタＡに装着するのみで、マウントアダプタＡにおけるロック解除操作と回し操作の双方を一緒に行うことができる。したがって、交換レンズＬに対するマウントアダプタＡの着脱操作、特に、離脱操作を容易に行うことができ、着脱時の操作性及び利便性を飛躍的に高めることができるなど、リアキャップ１の多機能性及び多様性、更には付加価値性を高めることができる。
【００４３】
次に、本実施形態に係るリアキャップ１の使用方法について、図１〜図１０を参照して説明する。
【００４４】
まず、マウントアダプタＡを、交換レンズＬに取付ける際には、次の手順により行うことができる。まず、マウントアダプタＡの把持部Ａｈを手で持ち、図３に示すように、マウントアダプタＡにおける第一マウント部Ａｆを、交換レンズＬのマウント部Ｌｍに向けて取付ける。この場合、マウントアダプタＡの第一マウント部Ａｆに備える三つの爪部Ａｆｎ…を、交換レンズＬのマウント部Ｌｍにおける三つの爪部Ｌｍｎ…の相互間の空間を通して進入させ、進入させた位置でマウントアダプタＡを回し操作すれば、マウントアダプタＡの爪部Ａｆｎ…が交換レンズＬの爪部Ｌｍｎ…に係止するとともに、前述したように、マウントアダプタＡに備えるロック機構１０により装置位置Ｘｓがロックされる。これにより、交換レンズＬに対するマウントアダプタＡの取付けが終了する。マウントアダプタＡを取付けた状態の交換レンズＬを図４に示す。
【００４５】
なお、この際、マウントアダプタＡの把持部Ａｈが薄くて持ちにくく、回し操作しにくい場合には、より持ち易いリアキャップ１を利用して回し操作することも可能である。この場合、後述するリアキャップ１を利用したマウントアダプタＡの離脱操作に対して逆方向の操作を行えばよい。
【００４６】
次に、リアキャップ１を通常のキャップとして使用する場合について説明する。この場合、まず、リアキャップ１の着脱部３の外周面３ｆを手で持ち、図４に示すように、着脱部３側をマウントアダプタＡの第二マウント部Ａｒに向けて装着することができる。具体的には、着脱部３に備える四つの爪部２１…を、第二マウント部Ａｒに備える四つのフランジ爪１１ｎ…の相互間の空間を通して進入させ、進入させた位置でリアキャップ１を回し操作すれば、着脱部３の爪部２１…を第二マウント部Ａｒのフランジ爪１１ｎ…に係止させることにより装着できる。リアキャップ１を、通常のキャップとして、交換レンズＬの後端に取付けたマウントアダプタＡに装着した状態を図５に示す。これにより、交換レンズＬの後端開口側をリアキャップ１により閉塞できる。
【００４７】
次に、交換レンズＬに取付けたマウントアダプタＡを、リアキャップ１を用いて取外す際の手順について説明する。
【００４８】
この場合、まず、リアキャップ１の着脱部３の外周面３ｆを手で持ち、図１及び図６に示すように、マウントアダプタＡの第二マウント部Ａｒに対してアダプタ操作部６側を装着する。この際、前述した目印部８を目安にしてマウントアダプタＡに対する位置合わせを行うことができるとともに、リング堤部７をガイドとして第二マウント部Ａｒに装着することができる。
【００４９】
また、アダプタ操作部６を第二マウント部Ａｒに装着する際には、図８に示すように、アダプタ操作部６における第一係合部４の各係合凸部４ｓ，４ｓ…及び第二係合部５の係合凸部５ｓが、マウントアダプタＡのフランジ爪１１ｎ，１１ｎ…の相互間の空間を通して進入し、当該フランジ爪１１ｎ，１１ｎ…の各端部１１ｎｓ，１１ｎｔ…に、各係合凸部４ｓ，４ｓ…及び係合凸部５ｓがそれぞれ係止（当接）する。さらに、図８に示す位置関係により、係合凸部５ｓはロック解除操作部１２ｐに位置するため、係合凸部５ｓが進入することにより、ロック解除操作部１２ｐを押してロックレバー１２を回動変位させる。この結果、ロックレバー１２のストッパ部１２ｓは、図１０に示すロック位置から図９に示すロック解除位置へ変位し、ロック機構１０のロックが解除される。図６は、マウントアダプタＡに対して、リアキャップ１のアダプタ操作部６を装着した状態を示す。したがって、この場合におけるリアキャップ１は、図５に示した通常のキャップとしての使用に対して前後の向きが反対になる。
【００５０】
この後、リアキャップ１を回し操作すれば、各係合凸部４ｓ，４ｓ…及び係合凸部５ｓがそれぞれ係止（当接）するフランジ爪１１ｎ，１１ｎ…、即ち、フランジ爪１１ｎ，１１ｎ…を一体に有するマウントアダプタＡを回すことができ、交換レンズＬからマウントアダプタＡを容易に取外すことができる。
【００５１】
なお、図１１及び図１２には、リアキャップ１におけるアダプタ操作部６の変更例を示す。図１１は、リング提部７の形状に係わる変更例を示す。図１１に示すリング提部７は、キャップ本体部２における反対側の面２ｒからの突出長を、係合凸部４ｓ…及び５ｓを隠すことができる最低限の突出長に選定したものである。例示の場合、係合凸部５ｓは、係合凸部４ｓ…よりも長くなるため、係合凸部５ｓに位置するリング提部７の部位は、山形形状部３１により形成した。したがって、この山形形状部３１は、目印部８に兼用することもできる。
【００５２】
また、図１２は、リング提部７の内側に円形カバー４１を配し、この円形カバー４１を弾性部４２…により支持した変更例を示す。この場合、リング提部７の前端開口位置に円形カバー４１を配することができるため、使用しないときは、リング提部７の前端開口のカバーとして機能させることができる。一方、使用する際には、円形カバー４１を弾性部４２…の弾性に抗して押し込むことにより、円形カバー４１の内側に位置する係合凸部４ｓ…及び５ｓをそれぞれ機能させることができる。このため、円形カバー４１の外周縁には、係合凸部４ｓ…及び５ｓの通過を許容する凹部４１ｈ…を形成する。
【００５３】
このように、リアキャップ１に設けるアダプタ操作部６は、その形状（デザイン）及び形態（構成）を本来の機能を維持する限りにおいて任意に変更可能であり、各種変更例により実施することができる。
【００５４】
以上、変更例を含む好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００５５】
例えば、光学機器本体としてカメラボディ（デジタルカメラボディ）を例示したが、銀塩カメラボディ，ビデオカメラボディ，プロジェクタボディ等の各種光学機器本体を適用できるとともに、交換レンズＬとしてカメラボディ（デジタルカメラボディ）に着脱する交換レンズＬを例示したが各種光学機器本体に対応する各種交換レンズＬを適用できる。また、第一係合部４として、マウントアダプタＡのフランジ爪１１ｎ，１１ｎ…の相互間の空間に進入して、当該フランジ爪１１ｎ，１１ｎ…における全部の端部１１ｎｓ，１１ｎｓ…に当接可能な係合凸部４ｓ…を設けた場合を示したが、一部のフランジ爪１１ｎ…における各端部１１ｎｓ，１１ｎｓ…に当接可能な係合凸部４ｓ…を設けてもよい。例えば、フランジ爪１１ｎ，１１ｎ…の相互間の空間に進入する係合凸部４ｓ…を二つとしたが、二つの係合凸部４ｓと４ｓ間を連続形成することにより一つの係合凸部４ｓとして設けてもよいし、連続したベルト状の凸部に、複数の切込み（凹部）を設けることにより各係合凸部４ｓ…の機能を持たせてもよい。さらに、第二係合部５は、キャップ本体部２における反対側の面２ｒに一体に形成し、かつロック機構１０におけるロックレバー１２を押し操作してロックを解除する係合凸部５ｓにより構成した例を示したが、ロック機構１０の構成に対応して解除可能な各種形態により構成した第二係合部５により実施可能である。一方、目印部８は色表示等の他の目印により実施してもよいし、滑り止め部３ｍは外周面３ｆにゴムシートを付設するなど、同一の機能を有する他の形態により実施してもよい。
【産業上の利用可能性】
【００５６】
本発明に係るマウントアダプタ用リアキャップは、デジタルカメラをはじめ、ビデオカメラやプロジェクタ等の各種光学機器本体に着脱する交換レンズに取付けるマウントアダプタに利用することができる。
【符号の説明】
【００５７】
１：マウントアダプタ用リアキャップ，２：キャップ本体部，２ｆ：キャップ本体部の一方の面，２ｒ：キャップ本体部の反対側の面，３：着脱部，３ｆ：着脱部の外周面，３ｍ：滑り止め部，４：第一係合部，４ｓ…：係合凸部，５：第二係合部，５ｓ：係合凸部，６：アダプタ操作部，７：リング堤部，８：目印部，１０：ロック機構，１１ｎ…：フランジ爪，１１ｎｓ…：フランジ爪の端部，１２：ロックレバー，Ｌ：交換レンズ，Ａ：マウントアダプタ，Ｘｓ：装着位置
【図１】
2020134737.tif 000003
【図２】
2020134737.tif 000004
【図３】
2020134737.tif 000005
【図４】
2020134737.tif 000006
【図５】
2020134737.tif 000007
【図６】
2020134737.tif 000008
【図７】
2020134737.tif 000009
【図８】
2020134737.tif 000010
【図９】
2020134737.tif 000011
【図１０】
2020134737.tif 000012
【図１１】
2020134737.tif 000013
【図１２】
2020134737.tif 000014